(57)【要約】【課題】ハクビシンなど樹上性害獣による食害対策として電気柵を、さくらんぼ園など囲いのある果樹園の限られたスペースに取り付けるのは難しい。そこで、園周にある既存のフレームパイプ９などを活用して簡単で安く且つ効果的に設置できる電気柵を提供することが課題である。【解決手段】市販の農業資材であるパッカー（ハウス用留め具）７又は結束バンド８と組み合わせて簡単に固定できる様に線材加工した小型の架線金具を使うことで、経済性や着脱の簡易性だけでなく、害獣の足場となるマイナス極ワイヤー６の架線により電導性も効果的に確保される。【選択図】図３
2006042763.tif 000002
【特許請求の範囲】
【請求項１】
図１及び図２の通りに線材加工した架線金具と市販の農業資材であるパッカー（ハウス用留め具）７や結束バンド８などを図３又は図４の様に組み合わせて使用し、防風ネット１０などで隙間なく囲んだ果樹園周りのフレームパイプ９などにワンタッチ乃至簡易に取付けられることを特徴とする電気柵。
【請求項２】
請求項１に記載されている電気柵において、架線金具のフック２本の内、一方に絶縁４を施しプラス極ワイヤー５を、もう一方には直に害獣の足場となるマイナス極ワイヤー６を通し、それぞれ、別置した電気ショック発生器の出力と接地の両端子に接続する。この様に、二極間の電導性を一つの架線金具で得易くすることを特徴とする電気柵。
【請求項３】
請求項１又は請求項２に記載されている電気柵において、架線金具が線材であることと取付けがビス留め等でなくパッカー７や結束バンド８で留めることで柔軟性と可動性があり、ワイヤー５、６の緊張度やフックの角度などの調整が容易にできることを特徴とする電気柵。
【発明の詳細な説明】
【技術分野】
【０００１】  本発明は、さくらんぼ園など囲いのある果樹園にハクビシンなどの樹上性害獣が浸入するのを防ぐための電気柵に関するものである。
【背景技術】
【０００２】  牧柵風に金属網などを園周に高く巡らす以外に、電気柵としては、多様な害獣に一様に対応すべく園周りの地表近くに数条の通電ワイヤーを張り巡らすか、金属網などの上に通電ワイヤーを付加して張り巡らし害獣の侵入を防いでいる。【０００３】
【特許文献１】特許第２６５６９１０号公報
【特許文献２】特開２００１−２４５５４６号公報
【特許文献３】特開２００４−１２９６００号公報
【非特許文献１】埼玉県農林総合研究センター「外来食肉目獣類（ハクビシン）の被害回避技術の開発」２００２
【発明の開示】
【発明が解決しようとする課題】
【０００４】  従来の技術は、多様な害獣を対象にしているため、ハクビシンなどの樹上性害獣の侵入防止に特別な威力を発揮するものではない。たとえ応用できる技術があるとしても、広い園地に設置するには、まず、労力の面で課題がある。【０００５】  従来の電気柵は、地表に近いため雑草による漏電が多く、能力が十分に発揮できない。また、園地は、人や消毒用機材などの出入りが頻繁であるばかりでなく観光園化しているエリアも多く、周りのスペースに余裕がない。そのため、獣害防止だけの目的で園周に金属網と通電ワイヤーを組み合わせた電気柵を新設するには、経済性の他にスペースの面で課題がある。【０００６】  一度設置すると手直しや調整が容易でない。また、一品種の収穫時期が限られていることから使用期間が限定されるため、需要期以降や冬季間の取り外し及び設置場所の移動などのニーズもある。
【課題を解決するための手段】
【０００７】  前項の課題を解決するために本発明は、架線金具のベース部１を、取付けるパイプ９などの形状に合わせ市販のパッカー（ハウス用留め具）７や結束バンド８と組み合わせて使えるように線材加工し、一方のフック２に絶縁４を施すことにより、架線作業（絶縁４を施したフック２にプラス極ワイヤー５を、フック３にマイナス極ワイヤー６を通す作業）が容易にできる。【０００８】  また、既存の設備を利用しての設置が可能なため特別な設置場所を要せず、コスト面だけでなくスペースの有効利用も図られる。【０００９】  上記の架線金具の材質を金属線等にし、フック３を設けマイナス極ワイヤー６を張ることにより害獣の足場が確保され、電導性が向上する。【００１０】  以上の架線金具において、フック２とフック３の長さ及びベース部１の形状により縦と横の両パイプに対応できる。また、一種類の架線金具と可動性のある市販のパッカー７や結束バンド８との組み合わせによる架線で、着脱だけでなく調整も簡単にできる。
【発明の効果】
【００１１】  本発明によれば、発明の架線金具と市販のパッカー７や結束バンド８を併用して既存のフレームパイプ９などを活用することで、牧柵としての電気柵を、さくらんぼ園などスペースに余裕のない果樹園にも簡単且つ経済的に設置可能な電気柵を提供できる。【００１２】  また、フック３により足場となるマイナス極ワイヤー６が簡単に確保でき、ネット１０やパイプ９を上って来た害獣の鼻先から前足への電気ショックの電導性が向上することから、本発明は、簡単且つ経済的で効果的な電気柵を提供できる。【００１３】  上記の効果の他に本発明は、着脱が容易で可動性もあることから、冬季間に外したり、需要期だけ着たり、と使い方が多様である。また、一般的な農業資材との併用であることから、既にユーザーが資材を所持している場合もある。このように本発明は、資材の入手から取付けまで、主にユーザーだけで対応可能な電気柵を提供できる。
【発明を実施するための最良の形態】
【００１４】  本発明の実施に当たり、周りを丈夫なネット１０などで隙間なく囲んだ果樹園において、まず、金属線等を図面１及び図面２の形状に加工した架線金具を用いるが、ベース部１は横長にして左右の張力に対し安定感を持たせ、フック２は、ネット１０が触れない様に斜め上に長くして先端に絶縁４を施す。フック３は、ベース部１の面に垂直に短くして下から害獣の頭部が入り込まないようにし前足を置き易くする。図面２のフック２とフック３の角度は目安であるが、手で調整できるような線材を選定する。図面１のフック２とフック３の間隔は、市販のパッカー７が納まる程度とし、図面２のベース部１を取り付けるパイプ９などの形状に合わせ湾曲にする。【００１５】  上記の通り加工した架線金具と市販のパッカー７や結束バンド８及び耐候性のワイヤー５、６を図３又は図４の様に園周りのフレームパイプ９などに取付け、最後に、市販の電気ショック発生器を接続する。
【実施例１】
【００１６】  本発明の実施例を図面に基づいて説明する。周りを防風ネット１０等で隙間なく囲んだ果樹園において、まず、図３の通り、さくらんぼ園の側面にあるフレームパイプ９に架線金具のベース部１を、フックを外側にして当て、そこに市販のパッカー７をフック２とフック３の間に押し込んでパイプ９に留める。その際、パイプ９の外側にある防風ネット１０なども、パッカー７で架線金具と一緒に押し込んで留める。園のコーナーは、縦パイプに合わせて同様に留める。その要領で４ｍ〜５ｍの間隔で園周全体に着ける。その後、フック２にプラス極通電ワイヤー５を、フック３にＳＵＳなどの耐候性マイナス極ワイヤー６を通し、各コーナーでターンバックルなどを用いワイヤー５及び６を緊張させる。最後に、ワイヤー５を電気柵の電源部（電気ショック発生部）の出力端子に、ワイヤー６を接地端子に接続して設置完了である。【００１７】  上記の通り取付けた本発明により、囲いまで来た害獣は、ネット１０で隙間がないのを知ると性質上、高所から侵入しようと縦や斜めのフレームパイプを登り始めるが、途中、横パイプ９に取付けられた２本のワイヤー５、６（電気柵）に必ず到る。まず、下から登って来ると、足元が不安定であるためワイヤー６に前足を掛ける。そして、更に上に行こうとするが見慣れない一本のワイヤー５が目前にあり、反射的に鼻先が触れる。その瞬間、鼻先から前足に電気ショックが走り、害獣は落下などして退く。
【実施例２】
【００１８】  前項で示した図３のパッカー７の代わりに、図４の通り、結束バンド２本を使って取り付けることもできる。
【産業上の利用可能性】
【００１９】  本発明は、農業分野を主にハクビシンなど果実を好む樹上性動物による食害を回避するためのものである。山間地域は手付かずで休耕地が多く、被害は裾野に拡大しているが、経営の効率化と高品質の農産物が求められている農業の現状からみて、低コストで効果を得る本発明の利用可能性は大きい。
【図面の簡単な説明】
【００２０】
【図１】本発明の架線金具の正面図である。
【図２】本発明の架線金具の側面図である。
【図３】本発明の使用形態を示す図である。（パッカーを使った場合）
【図４】本発明の使用形態を示す図である。（結束バンドを使った場合）
【符号の説明】
【００２１】  １  ベース部
２  プラス極ワイヤー用フック
３  マイナス極ワイヤー用フック
４  絶縁体
５  プラス極通電ワイヤー
６  マイナス極ワイヤー
７  パッカー
８  結束バンド
９  フレームパイプ
１０  ネット
【図１】
2006042763.tif 000003
【図２】
2006042763.tif 000004
【図３】
2006042763.tif 000005
【図４】
2006042763.tif 000006